(57)【要約】【課題】  録画後の映像の管理を容易にする映像記録再生装置を提供する。【解決手段】  映像記録再生装置の一態様であるＤＶＤレコーダが備えるシステム制御回路１１０は、ＤＶＤ駆動装置あるいはハードディスク装置に対する予約録画の処理を制御する予約録画制御回路５１０と、ハードディスクあるいはＤＶＤにおける管理データを生成する管理データ生成回路５２０と、ハードディスクあるいはＤＶＤに入力される映像データに関連付けられる時刻情報に基づいてサムネイル作成ポイントを生成するサムネイル情報生成回路５３０と、操作部に対して入力される指示と、ハードディスクあるいはＤＶＤに記録されている映像データの選択の指示とに基づいて、サムネイルの変更を検出するサムネイル変更検出回路５４０と、同一のサムネイル作成ポイントが使用可能であるか否かを判断する判断回路５５０とを含む。【選択図】        図５
2006345249.tif 000002
【特許請求の範囲】
【請求項１】
映像信号を受信する受信手段と、
時刻を計測する計時手段と、
前記映像信号に基づく映像データを定期的に記録するために予め入力された第１および第２の予約情報を格納する予約情報記憶手段とを備え、各前記予約情報は、前記映像信号を受信するチャンネルを表す情報と、前記映像データの記録が開始する開始時刻と、前記記録が終了する終了時刻とを含み、前記第１の予約情報に基づく前記開始時刻は、前記第２の予約情報に基づく前記開始時刻よりも先であり、
映像データを格納する記録手段と、
前記第１の予約情報に基づく前記開始時刻から前記終了時刻まで、前記記録手段に、前記チャンネルにより受信された映像信号に基づく第１の映像データを格納させる第１の記録制御手段と、
前記第１の映像データの記録が開始された時刻から予め定められた時間後の第１の時刻データをサムネイルポイントとして格納するサムネイル情報記憶手段と、
前記サムネイルポイントの変更のための入力を受ける変更入力手段と、
前記入力に基づいて、前記第１の映像データに対応する第２の時刻データを特定する特定手段とを備え、前記第１の時刻データと前記第２の時刻データとは異なり、
前記サムネイル情報記憶手段に格納されている第１の時刻データを前記第２の時刻データに変更するサムネイル変更手段と、
計時手段により計測される時刻に基づいて、前記第２の予約情報に基づく第２の映像データの記録の開始時刻の到来を検知する検知手段と、
前記開始時刻の到来の検知に応答して、前記第２の予約情報に基づく開始時刻から終了時刻まで、前記チャンネルにより受信された映像信号に基づく第２の映像データを前記記録手段に格納させる第２の記録制御手段と、
前記第１の映像データの記録の開始時刻および終了時刻と、前記第２の映像データの記録の開始時刻および終了時刻とが一致しているか否かを判断する第１の判断手段と、
前記第１の映像データの記録のために選局されたチャンネルと、前記第２の映像データの記録のために選局されたチャンネルとが同一であるか否かを判断する第２の判断手段と、
前記第１の映像データの記録の開始時刻および終了時刻と、前記第２の映像データの記録の開始時刻および終了時刻とが一致しており、かつ、前記第１の映像データの記録のために選局されたチャンネルと、前記第２の映像データの記録のために選局されたチャンネルとが同一である場合に、前記第２の映像データと、前記第２の時刻データとを関連付けて前記サムネイル情報記憶手段に書き込むサムネイル制御手段とを備える、映像記録再生装置。
【請求項２】
映像信号を受信する受信手段と、
時刻を計測する計時手段と、
前記映像信号に基づく映像データを記録するために予め入力された第１および第２の予約情報を格納する予約情報記憶手段とを備え、各前記予約情報は、前記映像信号を受信するチャンネルを表す情報と、前記映像データの記録が開始する開始時刻と、前記記録が終了する終了時刻とを含み、前記第１の予約情報に基づく前記開始時刻は、前記第２の予約情報に基づく前記開始時刻よりも先であり、
映像データを格納する記録手段と、
前記第１の予約情報に基づく前記開始時刻から前記終了時刻まで、前記記録手段に、前記チャンネルにより受信された映像信号に基づく第１の映像データを格納させる第１の記録制御手段と、
前記第１の映像データの第１のサムネイル画像を表示するための第１のサムネイルデータをサムネイルポイントとして格納するサムネイル情報記憶手段と、
前記サムネイルポイントの変更のための入力を受ける変更入力手段と、
前記入力に基づいて、前記第１の映像データに対応する第２のサムネイル画像を表示するための第２のサムネイルデータを特定する特定手段と、
前記サムネイル情報記憶手段に格納されている第１のサムネイルデータを前記第２のサムネイルデータに変更するサムネイル変更手段と、
計時手段により計測される時刻に基づいて、前記第２の予約情報に基づく第２の映像データの記録の開始時刻の到来を検知する検知手段と、
前記開始時刻の到来の検知に応答して、前記第２の予約情報に基づく開始時刻から終了時刻まで、前記チャンネルにより受信された映像信号に基づく第２の映像データを前記記録手段に格納させる第２の記録制御手段と、
前記第１の予約情報に基づいて記録される映像データと、前記第２の予約情報に基づいて記録される映像データとが定期的に記録されるデータであるか否かを判断する判断手段と、
前記判断手段による判断の結果に基づいて、前記第２の映像データと、前記第２の時刻データとを関連付けて前記サムネイル情報記憶手段に書き込むサムネイル制御手段とを備える、映像記録再生装置。
【請求項３】
前記第１および第２の予約情報は、映像データを定期的に記録するためのデータであり、
前記サムネイル情報記憶手段は、前記第１の映像データの記録が開始された時刻から予め定められた時間後の第１の時刻データを、前記サムネイルポイントとして格納し、
前記特定手段は、前記第１の映像データに対応する第２の時刻データを特定し、前記第１の時刻データと前記第２の時刻データとは異なり、
前記サムネイル変更手段は前記第１の時刻データを前記第２の時刻データに変更する、請求項２に記載の映像記録再生装置。
【請求項４】
前記判断手段は、
前記第１の映像データの記録の開始時刻および終了時刻と、前記第２の映像データの記録の開始時刻および終了時刻とが一致しているか否かを判断する第１の判断手段と、
前記第１の映像データの記録のために選局されたチャンネルと、前記第２の映像データの記録のために選局されたチャンネルとが同一であるか否かを判断する第２の判断手段とを含む、請求項２または３に記載の映像記録再生装置。
【請求項５】
前記サムネイル制御手段は、前記第１の映像データの記録の開始時刻および終了時刻と、前記第２の映像データの記録の開始時刻および終了時刻とが一致しており、かつ、前記第１の映像データの記録のために選局されたチャンネルと、前記第２の映像データの記録のために選局されたチャンネルとが同一である場合に、前記第２の映像データと、前記第２の時刻データとを関連付けて前記サムネイル情報記憶手段に書き込む、請求項４に記載の映像記録再生装置。
【発明の詳細な説明】
【技術分野】
【０００１】
本発明は映像記録再生装置に関し、より特定的には、プレビュー用のサムネイル画像を表示できる映像記録再生装置に関する。
【背景技術】
【０００２】
ＨＤＤ（Hard  Disk  Drive）レコーダ、ＤＶＤ（Digital  Versatile  Disk）その他の映像記録再生装置は、記録済みのデータに基づいてプレビュー用の縮小画像である、いわゆるサムネイル画像を表示するデータを出力する。映像記録再生装置に接続されているテレビ受信装置その他の映像表示装置は、そのデータに基づいてサムネイル画像を表示できるため、映像記録再生装置の使用者は、タイトルに加えてサムネイル画像を参照することにより、記録済みのデータの内容を確認することができる。
【０００３】
サムネイル画像は、映像記録再生装置が有する編集機能により、使用者が変更することができる（たとえば特開２００４−３２６９５３号公報（特許文献１）、特開２００４−２２２２６８号公報（特許文献２）参照）。たとえば、使用者が、録画済の番組を再生しつつ希望のシーン（たとえば番組のタイトル画面）を選択操作することにより、その選択されたシーンがサムネイル画像に置き換えられる。このようにすると、使用者の嗜好に応じたサムネイル画像を設定することができる。
【特許文献１】特開２００４−３２６９５３号公報
【特許文献２】特開２００４−２２２２６８号公報
【発明の開示】
【発明が解決しようとする課題】
【０００４】
しかしながら、使用者がサムネイル画像を変更した場合、その変更は当該記録済みのデータに対して有効であり、他の記録済みデータに対しては有効ではない。そのため、たとえば連続ドラマその他の定期的に放送される番組を録画する場合、使用者は、サムネイル画像を変更するためには、録画された番組データごとに編集操作を繰り返す必要があり、利便性に欠けるという問題があった。
【０００５】
本発明は、上述の問題点を解決するためになされたものであって、その第１の目的は、サムネイル画像の変更に関して利便性を向上させることができる映像記録再生装置を提供することである。
【０００６】
本発明の第２の目的は、録画後の管理が容易になる映像記録再生装置を提供することである。
【０００７】
本発明の第３の目的は、サムネイル画像の管理に関し、ソフトウェア的な負荷を軽減させることができる映像記録再生装置を提供することである。
【課題を解決するための手段】
【０００８】
上記の課題を解決するために、この発明のある局面に従うと、映像記録再生装置は、映像信号を受信する受信手段と、時刻を計測する計時手段と、映像信号に基づく映像データを定期的に記録するために予め入力された第１および第２の予約情報を格納する予約情報記憶手段とを備える。各予約情報は、映像信号を受信するチャンネルを表す情報と、映像データの記録が開始する開始時刻と、記録が終了する終了時刻とを含む。第１の予約情報に基づく開始時刻は、第２の予約情報に基づく開始時刻よりも先である。映像記録再生装置は、映像データを格納する記録手段と、第１の予約情報に基づく開始時刻から終了時刻まで、記録手段に、チャンネルにより受信された映像信号に基づく第１の映像データを格納させる第１の記録制御手段と、第１の映像データの記録が開始された時刻から予め定められた時間後の第１の時刻データをサムネイルポイントとして格納するサムネイル情報記憶手段と、サムネイルポイントの変更のための入力を受ける変更入力手段と、入力に基づいて、第１の映像データに対応する第２の時刻データを特定する特定手段とを備える。第１の時刻データと第２の時刻データとは異なる。映像記録再生装置は、サムネイル情報記憶手段に格納されている第１の時刻データを第２の時刻データに変更するサムネイル変更手段と、計時手段により計測される時刻に基づいて、第２の予約情報に基づく第２の映像データの記録の開始時刻の到来を検知する検知手段と、開始時刻の到来の検知に応答して、第２の予約情報に基づく開始時刻から終了時刻まで、チャンネルにより受信された映像信号に基づく第２の映像データを記録手段に格納させる第２の記録制御手段と、第１の映像データの記録の開始時刻および終了時刻と、第２の映像データの記録の開始時刻および終了時刻とが一致しているか否かを判断する第１の判断手段と、第１の映像データの記録のために選局されたチャンネルと、第２の映像データの記録のために選局されたチャンネルとが同一であるか否かを判断する第２の判断手段と、第１の映像データの記録の開始時刻および終了時刻と、第２の映像データの記録の開始時刻および終了時刻とが一致しており、かつ、第１の映像データの記録のために選局されたチャンネルと、第２の映像データの記録のために選局されたチャンネルとが同一である場合に、第２の映像データと、第２の時刻データとを関連付けてサムネイル情報記憶手段に書き込むサムネイル制御手段とを備える。
【０００９】
この発明の他の局面に従うと、映像記録再生装置は、映像信号を受信する受信手段と、時刻を計測する計時手段と、映像信号に基づく映像データを記録するために予め入力された第１および第２の予約情報を格納する予約情報記憶手段とを備える。各予約情報は、映像信号を受信するチャンネルを表す情報と、映像データの記録が開始する開始時刻と、記録が終了する終了時刻とを含む。第１の予約情報に基づく開始時刻は、第２の予約情報に基づく開始時刻よりも先である。映像記録再生装置は、映像データを格納する記録手段と、第１の予約情報に基づく開始時刻から終了時刻まで、記録手段に、チャンネルにより受信された映像信号に基づく第１の映像データを格納させる第１の記録制御手段と、第１の映像データの第１のサムネイル画像を表示するための第１のサムネイルデータをサムネイルポイントとして格納するサムネイル情報記憶手段と、サムネイルポイントの変更のための入力を受ける変更入力手段と、入力に基づいて、第１の映像データに対応する第２のサムネイル画像を表示するための第２のサムネイルデータを特定する特定手段と、サムネイル情報記憶手段に格納されている第１のサムネイルデータを第２のサムネイルデータに変更するサムネイル変更手段と、計時手段により計測される時刻に基づいて、第２の予約情報に基づく第２の映像データの記録の開始時刻の到来を検知する検知手段と、開始時刻の到来の検知に応答して、第２の予約情報に基づく開始時刻から終了時刻まで、チャンネルにより受信された映像信号に基づく第２の映像データを記録手段に格納させる第２の記録制御手段と、第１の予約情報に基づいて記録される映像データと、第２の予約情報に基づいて記録される映像データとが定期的に記録されるデータであるか否かを判断する判断手段と、判断手段による判断の結果に基づいて、第２の映像データと、第２の時刻データとを関連付けてサムネイル情報記憶手段に書き込むサムネイル制御手段とを備える。
【００１０】
好ましくは、第１および第２の予約情報は、映像データを定期的に記録するためのデータである。サムネイル情報記憶手段は、第１の映像データの記録が開始された時刻から予め定められた時間後の第１の時刻データを、サムネイルポイントとして格納する。特定手段は、第１の映像データに対応する第２の時刻データを特定する。第１の時刻データと第２の時刻データとは異なる。サムネイル変更手段は、第１の時刻データを第２の時刻データに変更する。
【００１１】
好ましくは、判断手段は、第１の映像データの記録の開始時刻および終了時刻と、第２の映像データの記録の開始時刻および終了時刻とが一致しているか否かを判断する第１の判断手段と、第１の映像データの記録のために選局されたチャンネルと、第２の映像データの記録のために選局されたチャンネルとが同一であるか否かを判断する第２の判断手段とを含む。
【００１２】
好ましくは、サムネイル制御手段は、第１の映像データの記録の開始時刻および終了時刻と、第２の映像データの記録の開始時刻および終了時刻とが一致しており、かつ、第１の映像データの記録のために選局されたチャンネルと、第２の映像データの記録のために選局されたチャンネルとが同一である場合に、第２の映像データと、第２の時刻データとを関連付けてサムネイル情報記憶手段に書き込む。
【発明の効果】
【００１３】
本発明に係る映像記録再生装置によると、映像データの記録後にサムネイル画像が変更されると、その変更後のサムネイル画像がその後に記録される映像データに対しても設定されることにより、再度の選択操作が不要になる。これにより、映像記録再生装置の利便性が向上し得る。また、録画後の映像データの管理が容易になり得る。
【００１４】
また、本発明に係る映像記録再生装置は、サムネイル画像の管理に関し、シーンの変化を検知する必要がないため、その検知のための処理を行う必要がなくなる。したがって、画像認識に係るソフトウェアが不要になるため、データ処理の観点からの負荷が軽減され得る。
【発明を実施するための最良の形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
図１を参照して、本発明の第１の実施の形態に係る映像記録再生装置の一態様であるＤＶＤレコーダ１００について説明する。図１は、ＤＶＤレコーダ１００のハードウェア構成を表わすブロック図である。
【００１７】
ＤＶＤレコーダ１００は、データを格納するためのメモリ１１２と、格納されているデータおよび外部から入力される指示に基づいて予め定められた処理を実行するためのシステム制御回路１１０と、外部から使用者の指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。ここで、作動状態とは、たとえば、ＤＶＤレコーダにおける時刻情報、後述するチューナによる受信状態、番組の録画状態等である。
【００１８】
ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving  Picture  Experts  Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On  Screen  Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital  to  Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。
【００１９】
図２〜図４を参照して、本実施の形態に係るＤＶＤレコーダ１００のデータ構造について説明する。図２は、ハードディスク１４４におけるデータの格納の一態様を表わす図である。
【００２０】
ハードディスク１４４は、データが格納される領域２１０と領域２２０とを含む。領域２１０には、ハードディスク装置１４０の動作を制御するための管理データおよびチューナ１３０により受信された信号に基づく映像データあるいは外部入力部１３２を介して入力されたデータに基づく映像データの記録状態を表わすデータが、格納されている。ＭＰＥＧエンコーダ１５２により圧縮符号化されて生成されたデータは、領域２２０に逐次格納される。領域２２０に対するデータの格納の態様は、当業者にとって容易に理解できるため、ここではその詳細な説明は繰り返さない。
【００２１】
図３は、領域２１０における管理データの格納の態様を表わす図である。領域２１０は、領域３１０〜３４０を含む。
【００２２】
領域２２０に記録されているデータを特定するための録画データ番号は、領域３１０に格納されている。各々の録画データに対応付けて生成されたサムネイルを表わすサムネイル作成ポイントは、領域３２０に格納されている。なお、サムネイルとは、記録済みの映像をプレビュー表示するために縮小して表示される画像をいう。
【００２３】
領域３１０に格納されているデータにより特定される映像データが記録された時刻を表わすデータは、領域３３０に格納されている。領域３２０に格納されているデータの変更の有無を表わすデータは、領域３４０に格納されている。
【００２４】
録画データ番号は、予め設定された基準に従って番号を昇順に変更することにより自動的に生成される。あるいは、この番号は、映像データの記録の前後に操作部１２２を介した入力により生成されてもよい。このようにすると、ＤＶＤレコーダ１００の使用者は、録画データ番号を任意に変更することができる。
【００２５】
サムネイル作成ポイントは、映像データのサムネイル画像を表わすために映像データに関連付けられている時刻データである。サムネイル作成ポイントは、たとえば録画が開始した直後の最初の有効なフレームに対応する時刻がそのポイントとして使用される。また、本実施の形態においては、後述するように、使用者が、表示される映像を選択することにより、その選択された映像に対応付けられる時刻が新たなサムネイル作成ポイントとして使用される。この場合、その選択された映像（シーン）に対応する時刻データが、領域３２０に上書きされる。
【００２６】
録画一時データは、計時回路１２６からの情報と、システム制御回路１１０により出力されたチューナ１３０を選局するための情報とに基づいて生成される。このデータは、ＤＶＤレコーダ１００が予約録画を実行する場合には予め入力された予約情報に基づいて生成されてもよい。
【００２７】
変更フラグは、各録画データに対するサムネイル作成ポイントが生成された時点では、初期値として変更されていないことを表わす「０」である。その後、使用者がサムネイル作成ポイントを変更すると、変更フラグは「１」に変更される。このようにすると、各々の録画データに対してサムネイル作成ポイントが変更されたか否かを容易に識別することができる。
【００２８】
なお、サムネイル作成ポイントの変更の有無は、変更フラグによってのみ検知される必要はない。したがって、変更フラグを格納する領域がハードディスク１４４に含まれていなくてもよい。たとえば、サムネイル作成ポイントの作成時刻と更新時刻とがハードディスク１４４に格納される場合、これらの時刻の一致あるいは不一致により、サムネイル作成ポイントの変更の有無が検知できる。
【００２９】
図４は、システム制御回路１１０が備えるメモリ１１２における予約情報の格納の一態様を表わす情報である。メモリ１１２は、領域４１０〜領域４５０を含む。
【００３０】
予約番号は、領域４１０に格納される。この番号は、予約情報の入力時に逐次生成される。たとえば、使用者が操作部１２２を介して予約情報の入力処理を開始すると、予約番号は、その処理の開始に応じて昇順に作成される。
【００３１】
録画の開始時刻は、領域４２０に格納される。録画の終了時刻は、領域４３０に格納される。チューナ１３０により選局されるチャンネルを表わすデータは、領域４４０に格納される。録画モードを表わすデータは、領域４５０に格納される。
【００３２】
図４に示されるように、領域４１０〜４５０に格納されるデータは、それぞれ相互に関連付けられている。メモリ１１２におけるデータの格納の態様は、図４に示されるものに限られない。また、領域４１０〜４５０に格納されるデータの項目に加えて、その他のデータが予約情報として領域４６０に格納されてもよい。予約情報が番組を定期的に録画するためのものである場合には、予め設定された期間内で、日付が異なり録画される時間が同一である情報が複数生成される。たとえば、毎週録画する場合は、特定の曜日の特定の時間帯が含まれる予約情報が格納される。毎日録画する場合は、各日ごとに、同一の開始時刻と終了時刻とが含まれる予約情報が格納される。
【００３３】
図５を参照して、本実施の形態に係るＤＶＤレコーダ１００を実現するシステム制御回路１１０について説明する。図５は、システム制御回路１１０の機能的構成を表わすブロック図である。システム制御回路１１０は、たとえば、それぞれの処理を実行するために予め構成された回路素子により、ハードウェアの動作としてとして実現される。あるいは、ＣＰＵ（Central  Processing  Unit）その他の演算処理装置と各々の処理を実現するために予め準備されたプログラムとの組み合せにより、ハードウェアとソフトウェアとの協働として実現されてもよい。
【００３４】
システム制御回路１１０は、ＤＶＤ駆動装置１７０あるいはハードディスク装置１４０に対する予約録画の処理を制御する予約録画制御回路５１０と、ハードディスク１４４における管理データあるいはＤＶＤ１７２における管理データを生成する管理データ生成回路５２０と、ハードディスク１４４あるいはＤＶＤ１７２に入力される映像データに関連付けられる時刻情報に基づいてサムネイル作成ポイントを生成するサムネイル情報生成回路５３０と、操作部１２２に対して入力される指示と、ハードディスク１４４あるいはＤＶＤ１７２に記録されている映像データの選択の指示とに基づいて、サムネイルの変更を検出するサムネイル変更検出回路５４０と、メモリ１１２に格納されているデータと管理データとに基づいて同一のサムネイル作成ポイントが使用可能であるか否かを判断する判断回路５５０とを含む。
【００３５】
予約録画制御回路５１０は、メモリ１１２に格納されている予約情報と、計時回路１２６により出力される時刻データとに基づいてハードディスク１４４あるいはＤＶＤ１７２に対する映像データの記録を実行する。
【００３６】
管理データ生成回路５２０は、ハードディスク１４４あるいはＤＶＤ１７２の管理データ領域に格納される管理用のデータ（たとえばファイルアロケーションテーブル）を生成する。
【００３７】
サムネイル情報生成回路５３０は、映像データがハードディスク１４４あるいはＤＶＤ１７２に記録されているときに計時回路１２６からの時刻データを取得する。サムネイル情報生成回路５３０は、その映像データを識別するための名称とその時刻データとを関連付けて、予め定められたサムネイル作成ポイントを領域２１０に格納する。ここで、予め定められたサムネイル作成ポイントとは、たとえば録画が開始された時刻から予め定められた時間（たとえば数ミリ秒）が経過した後の時刻である。
【００３８】
サムネイル変更検出回路５４０は、ハードディスク装置１４０あるいはＤＶＤ駆動装置１７０から読み出されている映像データに関連付けられる時刻データを取得する。サムネイル変更検出回路５４０は、操作部１２２を介して入力されるサムネイルの確定のための指示に応じて、その取得した時刻データをサムネイル作成ポイントとして前述の領域に格納する。
【００３９】
判断回路５５０は、メモリ１１２に格納されている予約情報とハードディスク１４４あるいはＤＶＤ１７２の管理データを記憶する領域に格納されているデータとに基づいて、予約情報に基づいて録画される番組が、既に録画された番組と同一のチャンネルによるものであるか否かを判断する。さらに、判断回路５５０は、それらのチャンネルが同一である場合に、サムネイル変更検出回路５４０により変更されたサムネイル作成ポイントが予約情報により特定される開始時刻と終了時刻との間に存在するか否かを判断する。
【００４０】
サムネイル情報生成回路５３０は、判断回路５５０による判断の結果に応じて、既に変更されたサムネイル作成ポイントと予約情報に基づく録画を特定するための情報とを関連付ける。
【００４１】
図６および図７を参照して、本実施の形態に係るＤＶＤレコーダ１００の制御構造について説明する。図６は、システム制御回路１１０がサムネイルを変更するために実行する処理の手順を表わすフローチャートである。
【００４２】
ステップＳ６１０にて、システム制御回路１１０は、操作部１２２を介して入力された信号に基づいて、サムネイル変更処理の開始の指示の入力を検知する。ステップＳ６２０にて、システム制御回路１１０は、ハードディスク１４４あるいはＤＶＤ１２２に記録されている録画データの中から、使用者による画像（シーン）が選択されたことを検知する。この検知は、たとえばハードディスク１４４あるいはＤＶＤ１７２から読み出されるデータに関連付けられる時刻情報を取得することにより行なわれる。
【００４３】
ステップＳ６３０にて、システム制御回路１１０は、選択された画像をサムネイル画像とするための指示が入力されたか否かを判断する。この判断は、たとえば操作部１２２が有するボタン（図示しない）が押下されたか否かを検知することにより行なわれる。そのような指示が入力されている場合には（ステップＳ６３０にてＹＥＳ）、処理はステップＳ６４０に移される。そうでない場合には（ステップＳ６３０にてＮＯ）、処理はステップＳ６２０に戻される。
【００４４】
ステップＳ６４０にて、システム制御回路１１０は、選択された画像と、その画像データに対応する時刻データとに基づいて、サムネイル画像用のデータ（サムネイル作成ポイント）を生成する。ステップＳ６５０にて、システム制御回路１１０は、その生成されたデータをハードディスク１４４あるいはＤＶＤ１２２の管理データを記憶するための領域（たとえば領域２１０）に格納する。
【００４５】
図７は、システム制御回路１１０が予約録画を実行するために行なう処理の手順を表わすフローチャートである。
【００４６】
ステップＳ７０２にて、システム制御回路１１０は、計時回路１２６から時刻情報の入力を受ける。ステップＳ７０４にて、システム制御回路１１０は、現在の時刻が予約録画の開始時刻より予め定められた時間前であるか否かを判断する。現在の時刻がその予め定められた時間前である場合には（ステップＳ７０４にてＹＥＳ）、処理はステップＳ７０６に移される。そうでない場合には（ステップＳ７０４にてＮＯ）、処理はステップＳ７０４に戻され再び所定の判断処理が行なわれる。
【００４７】
ステップＳ７０６にて、システム制御回路１１０は、予め定められた録画処理を準備するための指示を出力する。この指示が出力されると、たとえば録画の対象として指定されたハードディスク１４４あるいはＤＶＤ１７２に対してそれぞれデータを記憶するために各駆動装置が待機状態に切り換わる。また、チューナ１３０により選局されるチャンネルは、その予約情報により特定されるチャンネルに切り換えられる。
【００４８】
ステップＳ７０８にて、システム制御回路１１０は、計時回路１２６からの時刻データに基づいて、予約録画の開始時刻が到来したか否かを判断する。その時刻が到来している場合には（ステップＳ７０８にてＹＥＳ）、処理はＳ７１０に移される。そうでない場合には（ステップＳ７０８にてＮＯ）、処理はステップＳ７０８に戻される。
【００４９】
ステップＳ７１０にて、システム制御回路１１０は、予約情報に基づいて、圧縮符号化された映像データの記録を開始する。ステップＳ７１２にて、システム制御回路１１０は、計時回路１２６からの時刻データに基づいて、予約録画の終了時刻が到来したか否かを判断する。その終了時刻が到来したと判断すると（ステップＳ７１２にてＹＥＳ）、処理はステップＳ７１４に移される。そうでない場合には（ステップＳ７１２にてＮＯ）、処理はステップＳ７１２に戻される。
【００５０】
ステップＳ７１４にて、システム制御回路１１０は、サムネイルに関連付けられる時刻情報が予約録画の時間帯に含まれるか否かを判断する。その時刻情報がその録画時間帯に含まれる場合には（ステップＳ７１４にてＹＥＳ）、処理はステップＳ７２０に移される。そうでない場合には（ステップＳ７１４にてＮＯ）、処理はステップＳ７３０に移される。
【００５１】
ステップＳ７２０にて、システム制御回路１１０は、その時間帯に関連付けられるサムネイルデータ（サムネイル作成ポイント）と、録画データのファイル名とをそれぞれ関連付けて領域２１０に格納する。
【００５２】
ステップＳ７３０にて、システム制御回路１１０は、予め定められたサムネイル生成処理を実行する。たとえばシステム制御回路１１０は、録画開始時の画像データに関連付けられる時刻データを用いて、サムネイルデータ（サムネイル作成ポイント）を生成する。ステップＳ７３２にて、システム制御回路１１０は、生成されたサムネイルデータと録画データのファイル名とを関連付けて、領域２１０に格納する。
【００５３】
ここで、図８を参照して、ＤＶＤレコーダ１００のデータ構造についてさらに説明する。図８は、予約情報に基づく録画処理が実行された後に領域２１０に格納されるデータを表わす図である。
【００５４】
予約録画が開始される前は、図３に示されるように２つのファイルすなわち「ｒｅｃｏｒｄ００１．ｍｐｇ」と「ｒｅｃｏｒｄ００２．ｍｐｇ」についての管理データが領域２１０に格納されている。その後、２つの録画を実行するための処理が行なわれると、図８に示されるように、さらに２つのレコーダが生成される。すなわち「ｒｅｃｏｒｄ００３．ｍｐｇ」と「ｒｅｃｏｒｄ００４．ｍｐｇ」についてのレコードが生成される。
【００５５】
ここで録画データ番号「ｒｅｃｏｒｄ００１．ｍｐｇ」に関し、サムネイルの変更フラグ（領域３４０）は、「１」である。このことは、サムネイルが変更されたことを表わしている。すなわち、サムネイル作成ポイントとして２００５年４月７日２１時０１分００秒におけるフレームがサムネイルとして選択されている（領域３２０）。
【００５６】
ここで予約情報の１つが録画データ「ｒｅｃｏｒｄ００１．ｍｐｇ」が録画された日時から１週間後における同一の番組の録画を表わす場合、サムネイル作成ポイントも同一の値が使用される。すなわち録画データ番号「ｒｅｃｏｒｄ００３．ｍｐｇ」に属するレコードを参照して、そのサムネイル作成ポイントは、「２００５０４０７  ２１：０１：００」である。領域３３０に示されるように、それぞれの録画日時データは、当然のことながら異なる。
【００５７】
しかしながら、このサムネイル作成ポイントは、録画データ番号「ｒｅｃｏｒｄ００１．ｍｐｇ」に関連付けられているサムネイル作成ポイントと同じである。これにより、使用者がＤＶＤレコーダ１００に録画済のデータを一覧表示されると、「ｒｅｃｏｒｄ００１．ｍｐｇ」と「ｒｅｃｏｒｄ００３．ｍｐｇ」に関しては、使用者は、同一のサムネイル画像を認識することができる。
【００５８】
そこで、図９および図１０を参照して、本実施の形態に係るＤＶＤレコーダ１００が接続されたテレビ４００における表示態様について説明する。図９は、サムネイルの変更を行なわない場合に録画済のデータに対して示されるサムネイル画像の表示態様を表わす図である。
【００５９】
すなわちテレビ４００は、ＤＶＤレコーダ１００に対して入力される再生リストの表示指示に応じた画像を表示する。この画像は、たとえば４つのタイトル「ｒｅｃｏｒｄ００１」から「ｒｅｃｏｒｄ００４」を含む。各々のタイトルに対して予め定められた基準に従って生成されたサムネイル画像は、画像９１０〜９４０として表示される。この場合、各録画データはそれぞれ別の日時において生成されたものであるため、表示されるサムネイル画像もそれぞれ異なる。
【００６０】
図１０は、本実施の形態に係るＤＶＤレコーダ１００により実現されるオートサムネイルの設定機能を使用した場合に示される画像を表わす図である。
【００６１】
すなわちサムネイル画像１０１０とサムネイル画像１０３０とは同一の画像として表示される。これらの表示は、図８に示されるように、領域２１０に格納されているデータに基づいて実現される。このようにすると、タイトル「ｒｅｃｏｒｄ００１」とタイトル「ｒｅｃｏｒｄ００３」とが同一の番組であることが使用者に容易に理解される。
【００６２】
一方、それ以外のタイトルについてはサムネイルの変更が行なわれていないため、図１０に示されるサムネイル画像は、図９に示されるサムネイル画像と同様である。
【００６３】
以上のような構造およびフローチャートに基づく、本実施の形態に係るＤＶＤレコーダ１００の動作について説明する。
【００６４】
［サムネイル変更時］
使用者が操作部１２２を操作して録画済のデータに対するサムネイルの変更処理の開始の指示を入力すると、ＭＰＥＧデコーダ１５４に対して入力されている録画データの中から使用者により選択された画像に対応する時刻データが読み出される（ステップＳ６２０）。使用者がテレビ４００に表示されている画像をサムネイル画像として確定するための操作を操作部１２２に対して実行すると（ステップＳ６３０にてＹＥＳ）、その画像に対応する時刻データと録画データを識別するための名称とが関連付けられる（ステップＳ６４０）。その後、使用者が操作部１２２を介してサムネイルの変更処理の終了を指示すると、生成されたデータは、ハードディスク１４４あるいはＤＶＤ１７２の領域に管理情報として格納される（ステップＳ６５０）。
【００６５】
［予約録画時］
その後、使用者が予約情報を入力して録画の予約を設定する。ＤＶＤレコーダ１００の計時回路１２６が予約録画の開始時刻より予め定められた時間前に到達したことを検知すると（ステップＳ７０４にてＹＥＳ）、ＤＶＤレコーダ１００は、録画を開始するために一時停止状態に切り換わる（ステップＳ７０６）。計時回路１２６の時刻が予約録画の開始時刻になると（ステップＳ７０８にてＹＥＳ）、予約情報により指定された記録媒体（ハードディスク１４４あるいはＤＶＤ１７２）に対する録画が開始される（ステップＳ７１０）。
【００６６】
その後、予約録画を終了する時刻になると（ステップＳ７１２にてＹＥＳ）、サムネイル作成ポイントが予約録画により指定された時間帯に含まれる場合には（ステップＳ７１４にてＹＥＳ）、そのサムネイルデータと録画データのファイル名とが関連付けられ、ハードディスク１４４あるいはＤＶＤ１７２の領域２１０に格納される（ステップＳ７２０）。
【００６７】
以上のようにして、本発明の実施の形態に係るＤＶＤレコーダ１００は、録画済みの映像音声データのサムネイル情報が変更されると、変更後のサムネイルに対応する時刻データと、その変更があったことを特定するためのデータとを管理情報として記録する。その後、ＤＶＤレコーダ１００に対して同一の時間帯に属する同一のチャンネルの放送番組を予約録画するための設定が行なわれると、ＤＶＤレコーダ１００は、その管理情報に基づいて、当該時刻データを、予約録画に基づいて記録される映像音声データに関連付けて、サムネイル情報として記憶する。
【００６８】
このようにすると、同一のチャンネルにおける同一の時間帯に属する番組について、同一のサムネイルが使用されるため、同じ画像が表示される。使用者は、同一のグループに属する番組であるか否かを容易に認識することができるため、録画済みの映像データの管理を容易に行うことができる。
【００６９】
また、使用者は、サムネイルを作成するための時刻その他の情報を入力する必要がないため、ＤＶＤレコーダ１００の利便性が向上し得る。
【００７０】
また、ＤＶＤレコーダ１００は、たとえば映像のシーンの切り換わりを検知することなく、サムネイルの設定を行うことができる。したがって、シーンの切り換わりを検知するための処理が不要になるため、ソフトウェアとしての負荷が軽減される。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】本発明に係る映像記録再生装置の実施の一態様であるＤＶＤレコーダ１００のハードウェア構成を表わすブロック図である。
【図２】ＤＶＤレコーダ１００のハードディスク１４４におけるデータの格納の一態様を表わす図（その１）である。
【図３】ＤＶＤレコーダ１００のハードディスク１４４におけるデータの格納の一態様を表わす図（その２）である。
【図４】ＤＶＤレコーダ１００のシステム制御回路１１０が備えるメモリ１１２における予約情報の格納の一態様を表わす情報である。
【図５】ＤＶＤレコーダ１００のシステム制御回路１１０の機能的構成を表わすブロック図である。
【図６】ＤＶＤレコーダ１００のシステム制御回路１１０がサムネイルを変更するために実行する処理の手順を表わすフローチャートである。
【図７】システム制御回路１１０が予約録画を実行するために行なう処理の手順を表わすフローチャートである。
【図８】ＤＶＤレコーダ１００におけるデータ構造を表わす図である。
【図９】ＤＶＤレコーダ１００が接続されたテレビ４００におけるサムネイル画像の表示態様を表わす図（その１）である。
【図１０】ＤＶＤレコーダ１００が接続されたテレビ４００におけるサムネイル画像の表示態様を表わす図（その２）である。
【符号の説明】
【００７３】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、１９２  ケーブル、４００  テレビ、５１０  予約録画制御回路、５２０  管理データ生成回路、５３０  サムネイル情報生成回路、５４０  サムネイル変更検出回路、５５０  判断回路。
【図１】
2006345249.tif 000003
【図２】
2006345249.tif 000004
【図３】
2006345249.tif 000005
【図４】
2006345249.tif 000006
【図５】
2006345249.tif 000007
【図６】
2006345249.tif 000008
【図７】
2006345249.tif 000009
【図８】
2006345249.tif 000010
【図９】
2006345249.tif 000011
【図１０】
2006345249.tif 000012